(57)【要約】【課題】複数種類の入力信号を受け、それらを判別して一方に収容することにより、信号の生成源となる発振器をその複数の入力信号で共有することができるようにする。【解決手段】まず、伝送される信号の送信クロックに同期した同期信号と、同期しない非同期信号とを受信手段が受信する。その受信された信号が同期信号または非同期信号の何れであるかを信号種別判定手段が判定し、その判定結果を用いて信号生成手段は、伝送路に送出する信号を生成する。このため、信号生成手段は１つの電圧制御発振器を信号の生成源として、送出する信号の生成ができるようになっている。【選択図】図１
2009159062.tif 000002
【特許請求の範囲】
【請求項１】
ビットレートの異なる複数の種別の信号の何れかである受信信号を受ける受信手段と、
前記受信信号が前記種別の何れであるかを判定する信号種別判定手段と、
前記信号種別判定手段の判定結果に基づき、前記受信信号より所定のクロックに同期した送信信号を生成する信号生成手段と、を備えたことを特徴とするデータ伝送装置。
【請求項２】
前記信号種別判定手段は、前記受信手段が前記種別に固有の信号を検出する固有信号検出手段を備え、
前記固有信号検出手段による検出結果に基づいて前記受信信号の前記種別を判定することを特徴とする請求項１記載のデータ伝送装置。
【請求項３】
前記固有の信号はフレーム同期信号である請求項２記載のデータ伝送装置。
【請求項４】
前記信号生成手段は、前記信号種別判定手段の判定結果に基づき前記受信信号の伝送データにそれぞれ所定の固定スタッフを付加し、同一のビットレートであるフレームフォーマットに収容して前記送信信号を生成するフレーム生成手段を備えたことを特徴とする請求項１から３の何れか１項に記載のデータ伝送装置。
【請求項５】
前記受信信号の前記種別はＳＴＭ−６４信号または１０ＧｂＥ−ＬＡＮ信号であり、
前記フレーム生成手段は、前記ＳＴＭ−６４信号による伝送データまたは１０ＧｂＥ−ＬＡＮ信号による伝送データを、ＯＴＵｋのフレームフォーマットにおけるＯＰＵｋペイロード内にそれぞれ所定の固定スタッフを付加して収容することを特徴とする請求項４記載のデータ伝送装置。
【請求項６】
前記ＯＴＵｋのフレームフォーマットはＯＴＵ２ｅのフレームフォーマットであり、
前記ＯＰＵｋペイロードはＯＰＵ２ｅペイロードであることを特徴とする請求項５記載のデータ伝送装置。
【請求項７】
前記受信信号の前記種別がＳＴＭ−６４信号である場合には、正スタッフ／負スタッフ／スタッフなしの何れとするかを判定してスタッフ判定信号を出力し、
前記受信信号の前記種別が１０ＧｂＥ−ＬＡＮ信号である場合は、スタッフなしとするスタッフ判定信号を出力するスタッフ判定手段を備えることを特徴とする請求項１から６の何れか１項に記載のデータ伝送装置。
【請求項８】
受信した信号がビットレートの異なる複数の種別の信号の何れであるかを判定する信号種別判定工程と、
前記信号種別判定工程による判定結果に基づき、受信信号より所定のクロックに同期した送信信号を生成する信号生成工程と、を備えたことを特徴とするデータ伝送方法。
【請求項９】
前記信号種別判定工程では、受信信号の種別に固有の信号の検出結果に基づいて、受信した信号の種別を判定することを特徴とする請求項８記載のデータ伝送方法。
【請求項１０】
前記固有の信号はフレーム同期信号である請求項９記載のデータ伝送方法。
【請求項１１】
前記信号生成工程は、前記信号種別判定工程の判定結果に基づき前記受信信号の伝送データにそれぞれ所定の固定スタッフを付加し、同一のビットレートであるフレームフォーマットに収容して前記送信信号を生成するフレーム生成工程を備えたことを特徴とする請求項８から１０の何れか１項に記載のデータ伝送方法。
【請求項１２】
前記受信信号の前記種別はＳＴＭ−６４信号または１０ＧｂＥ−ＬＡＮ信号であり、
前記フレーム生成工程では、前記ＳＴＭ−６４信号による伝送データまたは１０ＧｂＥ−ＬＡＮ信号による伝送データを、ＯＴＵｋのフレームフォーマットにおけるＯＰＵｋペイロード内にそれぞれ所定の固定スタッフを付加して収容することを特徴とする請求項１１記載のデータ伝送方法。
【請求項１３】
前記ＯＴＵｋのフレームフォーマットはＯＴＵ２ｅのフレームフォーマットであり、
前記ＯＰＵｋペイロードはＯＰＵ２ｅペイロードであることを特徴とする請求項１２記載のデータ伝送方法。
【請求項１４】
受信した信号の前記種別がＳＴＭ−６４信号である場合には、正スタッフ／負スタッフ／スタッフなしの何れとするかを判定してスタッフ判定信号を出力し、
前記受信信号の前記種別が１０ＧｂＥ−ＬＡＮ信号である場合はスタッフなしとするスタッフ判定信号を出力するスタッフ判定工程を備えることを特徴とする請求項８から１３の何れか１項に記載のデータ伝送方法。
【請求項１５】
受信した信号がビットレートの異なる複数の種別の信号の何れであるかを判定する信号種別判定処理と、
前記信号種別判定処理による判定結果に基づき、受信信号より所定のクロックに同期した送信信号を生成する信号生成処理と、をデータ伝送装置のコンピュータに実行させることを特徴とするデータ伝送プログラム。
【請求項１６】
前記信号種別判定処理では、受信信号の種別に固有の信号の検出結果に基づいて、受信した信号の種別を判定することを特徴とする請求項１５記載のデータ伝送プログラム。
【請求項１７】
前記固有の信号はフレーム同期信号である請求項１６記載のデータ伝送プログラム。
【請求項１８】
前記信号生成処理は、前記信号種別判定処理の判定結果に基づき前記受信信号の伝送データにそれぞれ所定の固定スタッフを付加し、同一のビットレートであるフレームフォーマットに収容して前記送信信号を生成するフレーム生成処理をデータ伝送装置のコンピュータに実行させることを特徴とする請求項１５から１７の何れか１項に記載のデータ伝送プログラム。
【請求項１９】
前記受信信号の前記種別はＳＴＭ−６４信号または１０ＧｂＥ−ＬＡＮ信号であり、
前記フレーム生成処理では、前記ＳＴＭ−６４信号による伝送データまたは１０ＧｂＥ−ＬＡＮ信号による伝送データを、ＯＴＵｋのフレームフォーマットにおけるＯＰＵｋペイロード内にそれぞれ所定の固定スタッフを付加して収容することを特徴とする請求項１８記載のデータ伝送プログラム。
【請求項２０】
前記ＯＴＵｋのフレームフォーマットはＯＴＵ２ｅのフレームフォーマットであり、
前記ＯＰＵｋペイロードはＯＰＵ２ｅペイロードであることを特徴とする請求項１９記載のデータ伝送プログラム。
【請求項２１】
受信した信号の前記種別がＳＴＭ−６４信号である場合に、正スタッフ／負スタッフ／スタッフなしの何れとするかを判定してスタッフ判定信号を出力し、
前記受信信号の前記種別が１０ＧｂＥ−ＬＡＮ信号である場合はスタッフなしとするスタッフ判定信号を出力するスタッフ判定処理をデータ伝送装置のコンピュータに実行させることを特徴とする請求項１５から２０の何れか１項に記載のデータ伝送プログラム。
【発明の詳細な説明】
【技術分野】
【０００１】
本発明は、例えば光通信ネットワークなどに用いられ、複数種類の信号入力を受けて伝送を行うデータ伝送装置、方法、およびプログラムに関する。
【背景技術】
【０００２】
近年、光通信ネットワークのトラフィック需要にこたえるため、約１０Ｇｂｐｓ信号が広く普及している。
そこで、ITU-T（International Telecommunication Union-Telecommunication Standardization Sector）勧告のG.707では、ＳＴＭ（Synchronous Transport Module）−６４信号が標準化されている。また、IEEE 802.3では、１０ＧｂＥ（Gigabit Ethernet（登録商標））−ＬＡＮ信号（１０Ｇ  ｂａｓｅ−Ｒ信号）が標準化されている。光伝送装置では、このＳＴＭ−６４信号と１０ＧｂＥ−ＬＡＮ信号との伝送を行う必要がある。
【０００３】
例えば、ＤＷＤＭ（Dense Wavelength Division Multiplexing）装置では、受信したＳＴＭ−６４信号を、ITU-T G.709で標準化されているＯＴＵ（Optical Channel Transport Unit）２信号にマッピングすることにより、受信したクライアント光信号を、波長多重に適した波長グリッドへの波長変換を行っている。
【０００４】
ＯＴＵ２信号のフレーム構成を図５に、ＳＴＭ−６４信号のＯＴＵ２信号へのマッピング方法を図６に、それぞれ示す。図５、図６ともITU-T G.709で標準化されているものである。
【０００５】
また、１０ＧｂＥ−ＬＡＮ信号をＯＴＮ信号にマッピングする信号として、ITU-T勧告のG. Supplement 43では、ＯＴＵ２ｅ信号を定義している。１０ＧｂＥ−ＬＡＮ信号をＯＴＵ２ｅ信号へマッピングする方式は、ITU-T G.709のＳＴＭ６４信号をＯＴＵ２信号へマッピングする方式と同一としている。このため、ＯＴＵ２ｅのフレーム構成はＯＴＵ２信号と同一であり、ＯＴＵ２ｅ信号のビットレートのみがＯＴＵ２信号と異なる。
【０００６】
ＯＴＵ２信号のビットレートは、１０．７０９２Ｇｐｂｓであるが、ＯＴＵ２ｅ信号のビットレートは、１１．０９５７Ｇｂｐｓである。ＯＴＵ２ｅ信号のフレーム構成を図７に示す。また、G. Supplement 43で標準化されている、１０ＧｂＥ−ＬＡＮ信号のＯＴＵ２ｅ信号へのマッピング方法を図８に示す。
【０００７】
次に、ＳＴＭ−６４信号用と１０ＧｂＥ−ＬＡＮ信号用のＯＴＮ信号への波長変換を一つのパッケージで実現することを考える。図９に、ＳＴＭ−６４信号と１０ＧｂＥ−ＬＡＮ信号とのＯＴＮ信号への波長変換を一つのパッケージで実現する場合の構成を示す。
【０００８】
ＳＴＭ−６４信号と１０ＧｂＥ−ＬＡＮ信号はビットレートが比較的に近いため、また、ＯＴＵ２信号とＯＴＵ２ｅ信号もビットレートが比較的に近いため、光送受信器はＳＴＭ−６４信号／１０ＧｂＥ−ＬＡＮ信号で共用することが可能である。また、ＯＴＵ２信号用光送受信器とＯＴＵ２ｅ信号用光送受信器もビットレートが近いため、共用化した構成とすることができる。
【０００９】
また、本発明の関連技術として、非同期３２Ｍｂ／ｓ信号を、シリアル処理を用いて第２の速度に変換して同期化させ、フレーム内に分散配置させることにより、既存網ディジタル３次群信号をＳＤＨ（Synchronous Digital Hierarchy）へ収容するようにしたものがある（例えば、特許文献１参照）。
【００１０】
また、本発明の関連技術として、非同期ＤＳ３（Digital Signal-level 3）信号をＳＤＨ信号に収容して伝送するＳＤＨ伝送装置において、装置のシステムクロックに同期した中間信号を発生し、その中間信号に非同期ＤＳ３信号をパルススタッフ同期させて収容するようにしたものがある（例えば、特許文献２参照）。
【００１１】
また、本発明の関連技術として、１０Ｇｂ／ｓ系信号であるＳＴＭ６４／ＯＣ１９２信号を４チャンネルでＯＴＵ３フレームに非同期マッピングする信号多重化装置を備えたものがある（例えば、特許文献３参照）。
【特許文献１】特開平５−３１６０６８号公報
【特許文献２】特開２００１−３４５７７２号公報
【特許文献３】特開２００７−９６８２２号公報
【発明の開示】
【発明が解決しようとする課題】
【００１２】
しかしながら、伝送する信号の生成源となる電圧制御発振器は、周波数として＋／−２０ｐｐｍ以内の安定度が求められるものである。このため、上述した図９に示す構成では、ＯＴＵ２ｅ信号生成用の電圧可変発振器１４０と、ＯＴＵ２信号生成用の電圧可変発振器１４１との２種類を備えた構成とする必要がある。
このため、複数種類の入力信号を受ける伝送装置としては、コスト低減のための課題を残すものとなっていた。
【００１３】
また、上述した特許文献１〜３のものは、何れも１種類の入力信号を変換して収容するものであり、複数の入力信号を判別して一方に収容し、その複数の入力信号で電圧制御発振器を共有できるようにすることについてまで考慮されたものではなかった。
【００１４】
本発明はこのような状況に鑑みてなされたものであり、複数種類の入力信号を受け、それらを判別して一方に収容することにより、信号の生成源となる発振器をその複数の入力信号で共有することができるデータ伝送装置、方法、およびプログラムを提供することを目的とする。
【課題を解決するための手段】
【００１５】
かかる目的を達成するために、本発明に係るデータ伝送装置は、ビットレートの異なる複数の種別の信号の何れかである受信信号を受ける受信手段と、上記受信信号が上記種別の何れであるかを判定する信号種別判定手段と、上記信号種別判定手段の判定結果に基づき、上記受信信号より所定のクロックに同期した送信信号を生成する信号生成手段と、を備えたことを特徴とする。
【００１６】
また、本発明に係るデータ伝送方法は、受信した信号がビットレートの異なる複数の種別の信号の何れであるかを判定する信号種別判定工程と、上記信号種別判定工程による判定結果に基づき、受信信号より所定のクロックに同期した送信信号を生成する信号生成工程と、を備えたことを特徴とする。
【００１７】
また、本発明に係るデータ伝送プログラムは、受信した信号がビットレートの異なる複数の種別の信号の何れであるかを判定する信号種別判定処理と、上記信号種別判定処理による判定結果に基づき、受信信号より所定のクロックに同期した送信信号を生成する信号生成処理と、をデータ伝送装置のコンピュータに実行させることを特徴とする。
【発明の効果】
【００１８】
以上のように、本発明によれば、送信信号の生成源となる発振器を複数の入力信号で共有することができる。
このため、装置コストの低減を実現することができる。
【発明を実施するための最良の形態】
【００１９】
次に、本発明に係るデータ伝送装置、方法、およびプログラムを光伝送装置に適用した一実施形態について、図面を用いて詳細に説明する。
【００２０】
まず、本実施形態の特徴概略について、図１を参照して説明する。
本実施形態では、まず、ＳＴＭ−６４信号や１０ＧｂＥ−ＬＡＮ信号等の様なビットレートの異なる複数の種別の信号を受信手段が受信する。その受信された信号がその複数の種別の何れであるかを信号種別判定手段が判定し、その判定結果を用いて信号生成手段は、所定のクロックに同期した送信信号を伝送路に送出する信号として生成する。このため、信号生成手段は１つの電圧制御発振器を信号の生成源として、送出する信号の生成ができるようになっている。
【００２１】
本実施形態に係る光伝送装置は、こうした特徴を有することにより、ＳＴＭ−６４信号と１０ＧｂＥ−ＬＡＮ信号とをＯＴＵ２類似信号（ＯＴＵｋ信号；送信信号）に収容する際に、ＯＴＵ２類似信号のフレームフォーマットを変更する。このことにより、ＯＴＵｋ信号のビットレートを変更することなく、ＳＴＭ−６４信号と１０ＧｂＥ−ＬＡＮ信号とを同一のビットレートであるＯＴＵｋ信号のフレームにマッピングできるようにしている。
【００２２】
このため、本実施形態では、ＳＴＭ−６４信号収容時には、図２に例示するように、ＯＴＵ２ｅ信号のフレームフォーマットにおけるＯＰＵ（Optical Channel Payload Unit）２ｅペイロード領域に固定スタッフを挿入したフォーマットを使用しＳＴＭ−６４信号のペイロード収容用とする。一方、１０ＧｂＥ−ＬＡＮ信号を収容する場合については、従来のG. supplement 43の通りにＯＴＵ２ｅ信号に収容される。
【００２３】
次に、本実施形態に係る光伝送装置の構成について説明する。
図３に、本発明の一実施形態としてのＳＴＭ−６４信号／１０ＧｂＥ−ＬＡＮ信号共用波長変換パッケージのブロック図を示す。
【００２４】
本実施形態としての光伝送装置では、波長変換パッケージのクライアント信号として、ＳＴＭ−６４信号もしくは１０ＧｂＥ−ＬＡＮ信号を扱う。Ｏ／Ｅ（Optical / Electrical convert）部およびＣＤＲ（Clock And Data Recovery）／ＤＭＵＸ（De-Multiplexer）部（受信手段）１０は、受信したクライアント信号に対して、光／電気変換、受信信号からのクロック再生とリタイミング、および、１０Ｇｂ／ｓの電気信号のより低速な電気信号へ分離処理を行う。
【００２５】
エラスティクストア（elastic store；ＥＳ）部３０は、分離された低速電気信号から、ＯＴＵ２ｅ信号の生成源であるＯＴＵ２ｅ信号用電圧制御発振器４０のクロックにより読出を行う。そして、ＯＨ（オーバーヘッド）挿入回路５０がOTU2e-OH/FEC/Fixed_stuffを挿入した後、ＣＭＵ（Clock Multiplication Unit）／ＭＵＸ（multiplexer）部およびＥ／Ｏ（Electrical / Optical convert）部６０により、ＯＴＵ２ｅの光信号が生成される。
【００２６】
ここで、ＥＳ部３０における、ＯＴＵ２ｅ信号へ変換処理の詳細を説明する。
ＳＴＭ−６４フレーム同期回路部２０は、クライアント信号として受信した信号がＳＴＭ−６４信号である場合に同期を検出する。また、６６Ｂ符号ブロック同期回路部２１は、クライアント信号として受信した信号が１０ＧｂＥ−ＬＡＮ信号である場合に同期を検出する。
【００２７】
このため、ＳＴＭ−６４フレーム同期回路部２０と６６Ｂ符号ブロック同期回路部２１では、クライアントからの入力信号としてＳＴＭ−６４もしくは１０ＧｂＥ−ＬＡＮのどちらかが入力されると、片方では同期が検出され、もう一方では同期外れが検出される。この同期回路２０と２１の同期検出情報をもとに、クライアント信号種別判定部２２は、クライアント信号種別がＳＴＭ−６４もしくは１０ＧｂＥ−ＬＡＮのどちらであるかを判定する。
【００２８】
さらに、Ｏ／Ｅ部およびＣＤＲ／ＤＭＵＸ部１０より出力される、受信データに同期した低速クロック信号は、ＥＳ部３０の書込アドレスカウンタ３１に入力され、書込アドレスカウンタ３１ではＥＳ部書込アドレスを生成し、ＥＳ部３０へ入力することによりのＥＳ部３０への低速電気データ信号の書込が行われる。また、位相比較器３３では、書込アドレスカウンタ３１が出力するＥＳ書込アドレスと、読出アドレスカウンタ部３２から出力されるＥＳ読出アドレスを元に、書込位相と読出位相との位相差を計算し、位相比較信号を生成する。
【００２９】
スタッフ判定回路３４は、２つの機能をもつ。
第一の機能は、ＯＴＵ２ｅのOH/FEC/Fixed_stuffのタイミングで読出カウンタの動作を停止させる機能である。
【００３０】
第二の機能は、受信信号がＳＴＭ−６４と判定された場合、位相比較器３３が出力する位相差情報に基づいて、ＯＰＵ２ｅの正スタッフ／負スタッフ／スタッフなしの実行を判定する機能である。また、受信信号が１０ＧｂＥ−ＬＡＮと判定された場合には、スタッフ判定回路３４は、常にスタッフなしとして判定出力を行う。読出アドレスカウンタ３２は、スタッフ判定回路３４からの出力信号情報（スタッフ判定信号）に基づいて、読出アドレスの生成を行う。
【００３１】
具体的には、読出アドレスカウンタ３２では、OTU2e-OH/FEC/Fixed_stuffのタイミングではカウンタ動作を停止させる。負スタッフ実行時には、負スタッフタイミング（通常１クロック分カウント動作を停止するタイミング）で１クロック分のカウント動作を行い、正スタッフ実行時には正スタッフタイミング（通常１クロック分カウント動作を行うタイミング）で１クロック分のカウント動作を停止する。
【００３２】
その結果、ＥＳ部３０から読出データは、OTU2e-OH/FEC/Fixed_stuffタイミングおよび正スタッフ実行時には１クロック前のデータ読出が継続し（新しいデータは読み出さず）、負スタッフ時にはOTU2e-OHタイミング（通常データ読出が行われないタイミング）でデータ読出を行う。
【００３３】
さらに、位相比較器３３から出力される信号は、ＬＰＦ（Low Pass Filter）部３５を通して平滑化され、ＳＥＬ（selector）部３６へ入力される。ＳＥＬ部３６では、クライアント信号種別判定部２２がＳＴＭ−６４と判定した場合にはＯＴＵ２ｅ信号用電圧制御発振器４０をフリーランで動作させるため固定電圧を選択する。また、１０ＧｂＥ−ＬＡＮ信号と判定した場合には１０ＧｂＥ−ＬＡＮ信号のＯＴＵ２ｅへの同期マッピングを行うため、ＬＰＦ部３５からの出力信号を選択する。
【００３４】
ＯＴＵ２ｅ信号用電圧制御発振器４０はＳＥＬ部３６から出力される制御電圧を元に、ＯＴＵ２ｅ信号の低速クロック信号を生成し、スタッフ判定回路３４、読出アドレスカウンタ３２、ＣＭＵ／ＭＵＸ部およびＥ／Ｏ部６０へ信号出力する。
【００３５】
なお、ＯＴＵ２ｅ信号用電圧制御発振器４０は、ＳＴＭ−６４信号では固定発信器として、１０ＧｂＥ−ＬＡＮ信号としては電圧制御発振器として動作させる。したがって、フリーラン安定度を＋／−２０ｐｐｍ以内、かつ、電圧制御発振器としては１０ＧｂＥ−ＬＡＮ信号の周波数偏差（＋／−１００ｐｐｍ）以上の可変範囲をもたせるため、合計＋／−１２０ｐｐｍ以上の可変範囲が必要である。
【００３６】
次に、上述した図２に示すＯＴＵ２ｅ主信号フレーム構成を参照して、本実施形態によるＳＴＭ−６４信号のＯＴＵ２ｅ信号へのマッピング方式について説明する。
【００３７】
OPU2e-payload信号のビットレートは、１０．３５６０Ｇｂｐｓであり、下記の式により求められる。
(255/237)＊10.3125Gbps＊(238/255)＝10.3560Gbps
【００３８】
本実施形態では、信号生成用の電圧可変発振器を１種類で済ませるようにするため、上述のOPU2e-payload信号のビットレートに、ビットレート９．９５３２８ＧｂｐｓのＳＴＭ−６４信号を収容する。
【００３９】
このため、図２に示すフレームフォーマット例では、３８０８バイト列のOPU2e-payload領域に１４８バイト列のFixed Stuff（固定データ領域）を挿入する。Fixed Stuffの挿入により、OPU2e-payload領域のうち、ＳＴＭ−６４信号を伝送するために割り当てられる領域のビットレートは、下記の式により、９．９５３５２Ｇｂｐｓとなる。
(255/237)＊10.3125Gbps＊(238/255)＊(3660/3808)＝9.95352Gbps
【００４０】
さらに、メモリ状態に応じてＯＰＵ２ｅの正スタッフ／負スタッフを適宜使用することにより、ＳＴＭ−６４信号をＯＴＵ２ｅ信号へ非同期マッピングすることが可能となる。
図２のフレーム構成を使用すると、ＳＴＭ−６４信号周波数偏差をδＬ、ＯＴＵ２ｅ信号周波数偏差をδＨとすると、ＳＤＨ／ＯＴＮ信号の周波数偏差である｜δＬ｜≦２０ｐｐｍ、｜δＨ｜≦２０ｐｐｍの範囲で、非同期マッピングを行うことが可能である。
【００４１】
また、１０ＧｂＥ−ＬＡＮ信号の収容については、ITU-T勧告のG. Supplement 43の通り、ＯＴＵ２ｅ信号に収容される。
【００４２】
以上をまとめると、本実施形態によるＳＴＭ−６４信号と１０ＧｂＥ−ＬＡＮ信号のＯＴＵ２ｅ信号への収容方法は、図４に示す情報包含関係のようになる。
すなわち、ＳＴＭ−６４信号によるClient-payload（伝送データ）と、１０ＧｂＥ−ＬＡＮ信号によるClient-payloadとの、それぞれビットレートの異なる信号を、まず、それぞれFixed stuffing（所定の固定スタッフを付加）し、OPU2e-payloadとして収容する（フレーム生成手段）。そして、そのＯＰＵ２ｅデータをＯＤＵ（Optical channel data unit）２ｅフレームに収容し、さらにＯＴＵ２ｅフレーム（伝送用データフレーム）に収容する。
【００４３】
以上のように、本発明の実施形態によれば、ＳＴＭ−６４信号と１０ＧｂＥ−ＬＡＮ信号の波長変換を行う場合、信号の生成源となる発振器には、ＳＴＭ−６４信号と１０ＧｂＥ−ＬＡＮ信号とにそれぞれ専用の発振器を設ける必要なく、ＯＴＵ２ｅ用の電圧制御発振器の１種類で賄える。
このように、ビットレートが類似しているＳＴＭ−６４信号と１０ＧｂＥ−ＬＡＮ信号とに対して、光伝送装置としての信号処理の共用化を実現することで、コスト低減を実現することができる。
【００４４】
なお、上述した各実施形態は本発明の好適な実施形態であり、本発明はこれに限定されることなく、本発明の技術的思想に基づいて種々変形して実施することが可能である。
例えば、ＳＴＭ−６４信号をＯＴＮ信号に収容する際、図２のフレーム構成のように、ＳＴＭ−６４収容用Fixed stuffを必ずしもOTU2e-FECの手前とする必要はなく、任意の位置であってよい。すなわち、上述した図２のフレーム構成例における１４８バイト列のＳＴＭ−６４収容用Fixed stuffは、OPU2e-payload内の３８０８バイト列内の任意の位置を占有すればよい。
【００４５】
また、上述した実施形態では、１０ＧｂＥ−ＬＡＮ信号と、ＳＴＭ−６４信号とを同期化することとして説明したが、ビットレートの異なる複数の種別の信号を同一のビットレートのフレーム構造のデータに収容して伝送する装置であればこのものに限定されず、各種の信号入力を受けるものであってよい。
【００４６】
また、上述した実施形態では、光伝送装置として説明したが、ビットレートの異なる複数の種別の信号を同一のビットレートのフレーム構造のデータに収容して伝送する装置であればこのものに限定されず、各種のデータ伝送装置にも本発明は同様に適用可能である。
【００４７】
また、上述した各実施形態としての光伝送装置を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリーカード、ＲＯＭ等を用いてよい。
【００４８】
この本発明に係るプログラムによれば、当該プログラムによって制御されるデータ伝送装置に、上述した各実施形態における各機能を実現させることができる。
【図面の簡単な説明】
【００４９】
【図１】本発明の実施形態の特徴概略を示すブロック図である。
【図２】本実施形態によるＳＴＭ−６４信号収容時のＯＴＵ２ｅ信号のフレーム構成例を示す図である。
【図３】本実施形態としての光伝送装置における波長変換パッケージの構成例を示すブロック図である。
【図４】本実施形態によるＳＴＭ−６４信号と１０ＧｂＥ−ＬＡＮ信号とのＯＴＵ２ｅ信号へのマッピング方法を示す図である。
【図５】ITU-T G.709によるＯＴＵ２信号のフレーム構成を示す図である。
【図６】ITU-T G.709によるＳＴＭ−６４信号のＯＴＵ２信号へのマッピング方法を示す図である。
【図７】G. Supplement 43によるＯＴＵ２ｅ信号のフレーム構成を示す図である。
【図８】G. Supplement 43による１０ＧｂＥ−ＬＡＮ信号のＯＴＵ２ｅ信号へのマッピング方法を示す図である。
【図９】本発明の関連技術による、ＳＴＭ−６４信号と１０ＧｂＥ−ＬＡＮ信号をＯＴＮ信号に収容する構成を示すブロック図である。
【符号の説明】
【００５０】
１０    Ｏ／Ｅ部およびＣＤＲ／ＤＭＵＸ部（受信手段の一例）
２０    ＳＴＭ−６４フレーム同期回路（固有信号検出手段の一例）
２１    ６６Ｂ符号同期回路（固有信号検出手段の一例）
２２    クライアント信号種別判別部
３０    ＥＳ部
３２    読出アドレスカウンタ部
３６    ＳＥＬ部
４０    ＯＴＵ２ｅ用電圧制御発振器
５０    ＯＨ挿入回路
６０    ＣＭＵ／ＭＵＸ部およびＥ／Ｏ部
【図１】
2009159062.tif 000003
【図２】
2009159062.tif 000004
【図３】
2009159062.tif 000005
【図４】
2009159062.tif 000006
【図５】
2009159062.tif 000007
【図６】
2009159062.tif 000008
【図７】
2009159062.tif 000009
【図８】
2009159062.tif 000010
【図９】
2009159062.tif 000011